(57)【特許請求の範囲】
【請求項１】
複数の竿体を有し、釣り糸が糸導入口から竿体内部に導入され穂先から導出される振出式中通し竿と、
前記振出式中通し竿に着脱自在に用いられる中通し竿用口栓であって、前記竿体のうち前記糸導入口が形成された手元側竿体の先端部を保持する筒状の第１保持部と、前記第１保持部より先端側に設けられ前記手元側竿体より竿先側の中子竿体の後端部が前記糸導入口の竿先側に配置された状態で前記中子竿体の先端部を移動不能に保持する筒状の第２保持部と、軸方向に沿って形成され少なくとも前記第２保持部側で前記竿先側竿体の先端部を外周面から内部に挿入可能な第１切欠き部とを有する中通し竿用口栓と、
を備え、
前記第１保持部と第２保持部とは一体で形成されている、
口栓付き中通し竿。
【請求項２】
複数の竿体を有し、釣り糸が糸導入口から竿体内部に導入され穂先から導出される振出式中通し竿と、
前記振出式中通し竿に着脱自在に用いられる中通し竿用口栓であって、前記竿体のうち前記糸導入口が形成された手元側竿体の先端部を保持する筒状の第１保持部と、前記第１保持部より先端側に設けられ前記手元側竿体より竿先側の中子竿体の後端部が前記糸導入口の竿先側端部近傍に配置された状態で前記中子竿体の先端部を移動不能に保持する筒状の第２保持部と、軸方向に沿って形成され少なくとも前記第２保持部側で前記竿先側竿体の先端部を外周面から内部に挿入可能な第１切欠き部とを有する中通し竿用口栓と、
を備える口栓付き中通し竿。
【請求項３】
前記中子竿体は、穂先竿である、
請求項２に記載の口栓付き中通し竿。
【請求項４】
前記第１保持部と第２保持部とは弾性体製であり、
前記第１切欠き部に連続するように周面に形成された第２切欠き部を有し、前記第１保持部と第２保持部との外側に固定された筒状のカバー部をさらに備える、
請求項１から３のいずれかに記載の口栓付き中通し竿。
【請求項５】
前記カバー部は硬質の合成樹脂製である、
請求項４に記載の口栓付き中通し竿。
【発明の詳細な説明】
【０００１】
【発明の属する技術分野】
本発明は、口栓付き中通し竿、特に、複数の竿体を有し、各竿体の内部を釣り糸が挿通する振出式中通し竿に用いられる中通し竿用口栓を備える口栓付き中通し竿に関する。
【０００２】
【従来の技術】
１又は複数の中子竿体が手元側竿体の内部に収納された振出式の釣り竿において、釣り糸を竿体内部に挿通可能な中通し竿が知られている。中通し竿では、手元側竿体の外周面に形成された糸導入口から竿体内部に形成された釣り糸経路に釣り糸が導入され、釣り糸経路を通過して穂先側の中子竿体の先端に装着されたトップガイドから外部に釣り糸が導出される。
【０００３】
このような構成の振出式の中通し竿において、手元側竿体に収納される各中子竿体の後端部を糸導入口の竿先側の位置で位置決めして収納するものがある（特開平７−１２３８８８号）。この中通し竿では、リールシートを有する手元竿の竿先側に伸縮自在に元上（手元側竿体の一例）を連結し、元上に糸導入口が形成されている。この元上の糸導入口の竿先側まで穂先竿及び伸縮竿材等の中子竿体の後端部が入れ子構造で収納されるようになっている。ここで元上の先端に頭部を被せるとともに伸縮竿材の先端に当接部材を着脱自在に設け、頭部と当接部材とを当接させることで元上と伸縮竿材とを位置決めし、伸縮部材の後端部を糸導入口の竿先側に配置している。また、伸縮竿材の後端部に凹凸内面を有する保持部材を着脱自在に固定することで穂先竿の後端を保持し、穂先竿の後端を糸導入口の竿先側に位置決めしている。
【０００４】
このような中通し竿では、元竿の略全長にわたって竿体を収納する場合に比べて収納時の長さが長くなるが、各竿先側竿体の後端が糸導入口を臨む竿先側の位置に配置されるので、糸導入口から釣り糸経路への糸通しが容易になるとともに内部で釣り糸が絡みにくい。
【０００５】
【発明が解決しようとする課題】
前述の当接部材や頭部は糸通しを容易にするためにのみ必要な位置決め部材であり、釣りを行っているときには不要な部材である。このような位置決め部材を竿体に設けると、竿体の重量が重くなり中通し竿の操作がやりにくくなる。また、このような位置決め部材があると手元側竿体に収納される竿体を手元側竿体の竿尻側から抜くことができない。このため、清掃等のために竿体を分解する際には、竿先側竿体にネジ等により着脱自在に固定された位置決め部材を取り外す必要があり、竿体の分解作業が煩わしい。
【０００６】
本発明の目的は、糸通しが容易な中通し竿の軽量化を図るとともに、分解作業を容易にすることにある。
【０００７】
【課題を解決するための手段】
発明１に係る口栓付き中通し竿は、振出式中通し竿と、中通し竿用口栓とを備える。振出式中通し竿は、複数の竿体を有し、釣り糸が糸導入口から竿体内部に導入され穂先から導出される。中通し竿用口栓は、振出式中通し竿に着脱自在に用いられる中通し竿用口栓であって、第１保持部と第２保持部と第１切欠き部とを有している。第１保持部は、竿体のうち糸導入口が形成された手元側竿体の先端部を保持する筒状のものである。第２保持部は第１保持部より先端側に設けられ、手元側竿体より竿先側の中子竿体の後端部が糸導入口の竿先側に配置された状態で竿先側竿体の先端部を移動不能に保持する筒状のものである。第１切欠き部は、少なくとも第２保持部側で中子竿体の先端部を外周側から内部に挿入可能に軸方向に沿って形成されたものである。そして、第１保持部と第２保持部とは一体で形成されている。
【０００８】
この口栓を、糸通しの際や中通し竿を収納する際に中通し竿に装着する場合には、手元側竿体と中子竿体とを僅かに伸ばした状態で中子竿体の先端部を第１切欠き部の外周側から第２保持部の内部に挿入し、中子竿体の先端部を第２保持部で移動不能に保持する。そして、中子竿体が保持された状態で手元側竿体の先端部を第１保持部の後端部から軸方向に挿入して中田竿体を内部に収納し、手元側竿体の先端部を第１保持部で保持する。このとき、釣り糸が既に装着されているときには、穂先から導出された釣り糸を第１切欠き部から第２保持部の先端側に取り出す。このように、手元側竿体を第１保持部で、それより竿先側の中子竿体の先端部を第２保持部でそれぞれ移動不能に保持することで、２つの竿体が移動不能に固定されるとともに、中子竿体の後端部が糸導入口の竿先側に配置される。このため、糸通しを容易に行える。一方、各竿体を伸長して使用する際には、口栓を外して最も穂先側の中子竿体を引っ張ると、中子竿体が手元側竿体から引き出される。さらに、分解する際には、口栓と手元側竿体の尻栓とを取り外すと、中子竿体を手元側竿体の後端部から抜き出すことができる。ここでは、中通し竿の手元側竿体や竿先側竿体に位置決めの部材を設ける必要がなくなるので、中通し竿の軽量化を図れるとともに、分解の際に竿体に固定された位置決め部材を取り外す必要がないので、中通し竿の分解作業が容易になる。また、第１保持部と第２保持部とは一体で形成されているため、２つの保持部を一体で形成でき、保持部の製造が容易になる。
【０００９】
発明２に係る口栓付き中通し竿は、振出式中通し竿と、中通し竿用口栓とを備える。振出式中通し竿は、複数の竿体を有し、釣り糸が糸導入口から竿体内部に導入され穂先から導出される。中通し竿用口栓は、振出式中通し竿に着脱自在に用いられる中通し竿用口栓であって、第１保持部と第２保持部と第１切欠き部とを有している。第１保持部は、竿体のうち糸導入口が形成された手元側竿体の先端部を保持する筒状のものである。第２保持部は第１保持部より先端側に設けられ、手元側竿体より竿先側の中子竿体の後端部が糸導入口の竿先側端部近傍に配置された状態で竿先側竿体の先端部を移動不能に保持する筒状のものである。第１切欠き部は、少なくとも第２保持部側で中子竿体の先端部を外周側から内部に挿入可能に軸方向に沿って形成されたものである。
【００１０】
発明３に係る口栓付き中通し竿は、請求項２に記載の口栓付き中通し竿において、中子竿体は穂先竿である。
【００１１】
発明４に係る口栓付き中通し竿は、発明１から発明３のいずれかに記載の口栓付き中通し竿において、第１保持部と第２保持部とは弾性体製であり、第１切欠き部に連続するように周面に形成された第２切欠き部を有し、第１保持部と第２保持部との外側に固定された筒状のカバー部をさらに備える。この場合には、２つの保持部で各竿体を保持し、内部に挿通された釣り糸は第２切欠き部から先端側に取り出す。ここでは、保持部が弾性体製であるので各竿体を傷つけることなく確実に保持できるとともに、柔軟性がある保持部の外側がカバー部で覆われているので保持部がカバー部で裏打ちされ強度を維持して保護される。
【００１２】
発明５に係る口栓付き中通し竿は、発明４に記載の口栓付き中通し竿において、前記カバー部は硬質の合成樹脂製である。この場合には、柔軟な保持部が硬質のカバー部で裏打ちされるので保持部がより強度を維持して保護される。
【００１３】
【発明の実施の形態】
〔実施形態１〕
図１において、本発明の一実施形態による口栓が先端に装着される中通し竿１０は、元竿１１と、元竿１１に振出形式で連結された穂先竿１３とを有している。元竿１１及び穂先竿１３は、それぞれ炭素繊維強化樹脂製のプリプレグをマンドレルに巻回し焼成して得られた先細り筒状部材であり、内部に釣り糸Ｌの通過経路が形成されている。
【００１４】
元竿１１の竿尻部には、尻栓２０が着脱自在に装着されている。また、尻栓２０に隣接して操作用の前後のグリップ２１，２２が配置され、前後のグリップ２１，２２の間にリールシート２３が配置されている。リールシート２３には、たとえば、両軸受型のリール２４が装着される。元竿１１の前グリップ２１の竿先側には糸導入口２５が形成されている。糸導入口２５は、リール２４に巻き付けられた釣り糸Ｌを元竿１１及び穂先竿１３の内部の通過経路に導入するためのものである。糸導入口２５の周囲には、図２に示すように、釣り糸案内用の硬質リング２６が配置されている。
【００１５】
穂先竿１３の先端部には他の部分より大径のトップガイド３０が装着されている。トップガイド３０は、釣り糸の通過経路に導入された釣り糸Ｌを先端から外部に引き出すための部材である。穂先竿１３の後端部には、図２に示すように、硬質リング３１が装着されている。穂先竿１３は、元竿１１への収納時に、後端部の硬質リング３１の開口３２を糸導入口２５から目視できるように、糸導入口２５の竿先側に後端部が配置されるのが好ましい。これにより、釣り糸Ｌを糸導入口２５から通過経路に挿入しやすくなる。収納時に穂先竿１３が飛び出さないように装着される口栓４０が、このような位置に穂先竿１３を配置するために用いられる。
【００１６】
口栓４０は、図３〜図５に示すように、先端部がやや細く絞られた合成樹脂製の筒状のカバー部材４１と、カバー部材４１の内部に嵌め込まれ、接着により固定されたＮＢＲ（アクリロニトリルブタジエンゴム）製の筒状の保持部材４２とを有している。カバー部材４１は鉛筆のキャップ形状であり、外周面に軸方向に沿って先端孔４３に連続する切欠き部４４が形成されている。この切欠き部４４は、口栓４０を装着する際に、中通し竿１０から導出された釣り糸Ｌを先端に通すために設けられている。この切欠き部４４の幅は、トップガイド３０の最大径より大きく、穂先竿１３を径方向から口栓内部に挿入可能な大きさである。
【００１７】
保持部材４２はカバー部材４１の先細り先端部より竿尻側に嵌め込まれている。保持部材４２は、元竿１１の外径よりやや小さい内径を有する第１保持部４５と、第１保持部４５より先端側に配置された第２保持部４６とを有している。また、保持部材４２の外周面には軸方向に沿って切欠き部４７が形成されている。切欠き部４７は、切欠き部４４の内側に配置され、トップガイド３０の基部よりやや小さい幅で形成されている。
【００１８】
第１保持部４５は、元竿１１先端部の外周面を弾性的に保持するものである。第１保持部４５の内周面には滑り止めのための突起４５ａが周方向に間隔を隔てて形成されている。第２保持部４６は、第１保持部４５に連続して設けられ、切欠き部４７と同幅で形成されている。したがって、第２保持部４６は第１保持部４５よりかなり小さい寸法であり、第１保持部４５との間には段差４６ａが形成される。また、第２保持部４６の寸法は切欠き部４７と同じであり、トップガイド３０の基部の外径よりやや小さいので、トップガイド３０の基部を第２保持部４６が弾性的に保持できる。第１保持部４５の奥まで元竿１１を挿入した状態で第２保持部４６でトップガイド３０を保持すると、穂先竿１３の後端部が糸導入口２５の竿先側に配置されるようになっている。
【００１９】
次に、口栓４０の装着手順等について説明する。収納時や糸通し時に中通し竿１０を縮めて先端に口栓４０を装着する際には、まず、トップガイド３０を含む穂先竿１３を、トップガイド３０を切欠き部４４の先端に配置した状態でカバー部材４１の内部に径方向外方から挿入する。これにより、トップガイド３０の基部が第２保持部４６に弾性的に保持される。続いて、口栓４０の後端開口から先端が第１保持部４５と第２保持部４６との間の段差４６ａに当接するように軸方向に沿って元竿１１を挿入する。これにより、元竿１１の先端部の外周が第１保持部４５により保持される。この結果、２つの竿体１１，１３が口栓４０により軸方向に移動不能に保持される。
【００２０】
この状態では、穂先竿１３の後端部は、図２に示すように、糸導入口２５の竿先側に配置され、釣り糸Ｌを糸導入口２５から竿内部の通過経路に挿入しやすくなる。また、穂先竿１３を伸ばして使用するときには、口栓４０を外すので、中通し竿１０の重量が伸長時に収縮時より軽くなる。一方、竿内部が汚れて中通し竿１０を分解する際には、口栓４０を装着せずに尻栓２０を取り外す。そして、穂先竿１３を尻栓２０側から引き抜けば簡単に分解できる。分解した後は、各竿体１１，１３を水等により洗浄して内部の通過経路や糸導入口２５に付着した砂等の異物を除去すればよい。
【００２１】
〔実施形態２〕
図６において、本発明の別の実施形態による口栓が先端に装着される中通し竿５０は、ズーム機構付の元竿５１と、元竿５１に振出形式で連結された中間竿５２及び穂先竿５３とを有している。元竿５１、中間竿５２及び穂先竿５３は、それぞれ炭素繊維強化樹脂製のプリプレグをマンドレルに巻回し焼成して得られた先細り筒状部材であり、内部に釣り糸Ｌの通過経路（図示せず）が形成されている。
【００２２】
元竿５１は、伸縮する２つの竿体５１ａ，５１ｂからなり、竿尻側の竿体５１ａの竿尻部には、尻栓６０が着脱自在に装着されている。また、尻栓６０に隣接して操作用のグリップ６１が配置され、その竿先側にリールシート６３が配置されている。リールシート６３には、たとえば、スピニングリール６４が装着される。元竿５１の竿先側の竿体５１ｂには、糸導入口６５が形成されている。糸導入口６５は、リール６４に巻き付けられた釣り糸Ｌを元竿５１、中間竿５２及び穂先竿５３の内部の通過経路に導入するためのものである。糸導入口６５の周囲には、図７に示すように、釣り糸案内用の硬質リング６６が配置されている。また、糸導入口６５の竿尻側には、釣り糸Ｌを糸導入口６５に案内するための糸ガイド６７が設けられている。
【００２３】
中間竿５２の後端開口部には筒状の弾性保持体５４がネジ止めされている。弾性保持体５４の後端開口には硬質リング５５が装着されている。この弾性保持体５４の内部に穂先竿５３の後端部が挿入され固定される。穂先竿５３の先端部には他の部分より大径のトップガイド７０が装着されている。トップガイド７０は、釣り糸Ｌの通過経路に導入された釣り糸Ｌを先端から外部に引き出すための部材である。穂先竿５３の後端開口部には硬質リング５６が装着されている。ここでは、収縮時に中間竿５２の後端開口部を糸導入口６５の竿先側に配置すると、穂先竿５３の後端開口部も糸導入口６５の竿先側に配置され、釣り糸Ｌの導入が容易になる。収納時に穂先竿５３が飛び出さないように装着される口栓８０が、このように中間竿５２を配置するために用いられる。
【００２４】
口栓８０は、図８〜図１１に示すように、硬質合成樹脂製の筒状のカバー部材８１と、カバー部材８１に嵌め込まれ、接着により固定されたＮＢＲ製の筒状の保持部材８２と、カバー部材８１と保持部材８２との間に配置された糸緊張用の重錘体８３とを有している。カバー部材８１の外周面には、軸方向に沿って切欠き部８４が形成されている。この切欠き部８４は、口栓８０を装着する際に、中通し竿５０から導出された釣り糸Ｌを先端に通すために設けられている。この切欠き部８４の幅は、中間竿５２の最大径より大きく、中間竿５２を径方向から口栓８０内部に挿入可能な大きさである。また、カバー部材８１の切欠き部８４と逆側の外周面には、釣り糸Ｌを係止するための釣り糸係止部８１ａが形成されている。釣り糸係止部８１ａは、外周面を略Ｃ型に切り欠いて形成されている。
【００２５】
保持部材８２はカバー部材８１から両端が突出する形状の筒状の部材である。保持部材８２は、元竿５１の先端部の外径よりやや小さい内径を有する第１保持部８５と、第１保持部８５の竿先側に配置された第２保持部８６とを有している。また、保持部材８２の外周面には軸方向に沿って切欠き部８７が形成されている。切欠き部８７は、切欠き部８４の内側に配置され、中間竿５２の径よりやや小さい幅で形成されている。
【００２６】
第１保持部８５は、元竿５１先端部の外周面を弾性的に保持するものである。第２保持部８６は、第１保持部８５に連続して設けられ、切欠き部８７と同幅で形成されている。したがって、第２保持部８６は第１保持部８５よりかなり小さい寸法であり、第１保持部８５との間には段差８６ａが形成される。また、第２保持部８６の寸法は切欠き部８７と同じであり、中間竿５２の外径よりやや小さいので、中間竿５２を第２保持部８６が弾性的に保持できる。第１保持部８５の奥まで元竿５１を挿入した状態で第２保持部８６で中間竿５２を保持すると、中間竿５２の後端部が糸導入口６５の竿先側に配置されるようになっている。
【００２７】
重錘体８３は、釣り糸Ｌを係止した状態で口栓８０を中通し竿５０から外したとき、釣り糸Ｌを引っ張り緊張させることで、竿体内部で釣り糸Ｌが弛んで絡まるのを防止するために設けられている。次に、口栓８０の装着手順等について説明する。収納時や糸通し時に中通し竿５０を縮める際には、釣り糸Ｌを釣り糸係止部８１ａに係止する。これにより、縮める際に釣り糸Ｌが弛もうとしても口栓８０により釣り糸Ｌが引っ張られ、竿体内部で釣り糸Ｌが弛みにくい。そして、穂先竿５３や中間竿５２が元竿５１に収納されると、釣り糸Ｌがトップガイド７０から繰り出される。この繰り出された釣り糸Ｌはリールにより巻き取る。リールにより口栓８０がトップガイド７０付近に到達すると口栓８０を元竿５１の先端に装着する。
【００２８】
元竿５１の先端に口栓８０を装着する際には、釣り糸Ｌを切欠き部８４から口栓８０内部に挿入し、中間竿５２を切欠き部８６の先端に配置した状態でカバー部材８１の内部に径方向外方から挿入する。これにより、中間竿５２が第２保持部８６に弾性的に保持される。続いて、口栓８０の後端開口から先端が第１保持部８５と第２保持部８６との間の段差８６ａに当接するように軸方向に沿って元竿５１を挿入する。これにより、元竿５１の先端部の外周が第１保持部８５により保持される。この結果、２つの竿体５１，５２が口栓８０により軸方向に移動不能に保持される。この状態では、中間竿５２の後端部は、図７に示すように、糸導入口６５の竿先側に配置され、釣り糸Ｌを糸導入口６５から竿内部の通過経路に挿入しやすくなる。
【００２９】
また、中通し竿５０を伸ばして使用するときには、釣り糸Ｌを釣り糸係止部８１ａに係止したまま口栓８０を外す。これにより、釣り糸Ｌが口栓８０により引っ張られ、竿体内部で釣り糸Ｌが弛んだ状態にならない。そして、釣り糸Ｌを釣り糸係止部８１ａからはずす。これにより、中通し竿１０の重量が伸長時に口栓８０の分だけ収縮時より軽くなる。
【００３０】
一方、竿体内部が汚れて中通し竿５０を分解する際には、口栓８０を装着せずに尻栓６０を取り外す。そして、中間竿５２を尻栓６０側から引き抜き、さらに弾性保持体５４を取り外せば簡単に各竿体５１〜５３を分解できる。分解した後は、各竿体５１〜５３を水等により洗浄して内部の通過経路や糸導入口６５に付着した砂等の異物を除去すればよい。
【００３１】
〔他の実施形態〕
（ａ） 上記実施形態では手元側竿体と中子竿体とを口栓で保持しているが、糸導入口が形成された手元側竿体に収納される複数の中子竿体が後端で他の竿体に保持されていない場合には、手元側竿体を含め後端が保持されていない全ての竿体の先端部を口栓で保持する構成にすればよい。
（ｂ） 手元側竿体の糸導入口より竿尻側まで中子竿体が収納される場合でも、糸導入口の竿先側で中子竿体の後端部が配置されるように口栓で保持してもよい。
【００３２】
【発明の効果】
本発明に係る口栓付中通し竿では、中通し竿の手元側竿体や中子竿体に位置決めの部材を設ける必要がなくなるので、中通し竿の軽量化を図れるとともに、分解の際に竿体に固定された位置決め部材を取り外す必要がないので、中通し竿の分解作業が容易になる。
【図面の簡単な説明】
【図１】本発明の一実施形態による口栓が装着される中通し竿の側面図。
【図２】その糸導入口の断面部分図。
【図３】本発明の一実施形態による口栓の斜視図。
【図４】図３のIV−IV断面図。
【図５】口栓の平面図。
【図６】本発明の別の実施形態による口栓が装着される中通し竿の側面図。
【図７】その糸導入口の断面部分図。
【図８】本発明の別の実施形態による口栓の斜視図。
【図９】その側面図。
【図１０】図９のＸ−Ｘ断面図。
【図１１】図９のXI−XI断面図。
【符号の説明】
１０，５０ 中通し竿
１１，５１ 元竿
５２ 中間竿
１３，５３ 穂先竿
３０，７０ トップガイド
４１，８１ カバー部材
４２，８２ 保持部材
４４，８４ 切欠き部
４５，８５ 第１保持部
４６，８６ 第２保持部
４７，８７ 切欠き部
【図１】
0003657349.tif 000002
【図２】
0003657349.tif 000003
【図３】
0003657349.tif 000004
【図４】
0003657349.tif 000005
【図５】
0003657349.tif 000006
【図６】
0003657349.tif 000007
【図７】
0003657349.tif 000008
【図８】
0003657349.tif 000009
【図９】
0003657349.tif 000010
【図１０】
0003657349.tif 000011
【図１１】
0003657349.tif 000012